(57)【要約】本発明はオートバイのインターネット取引の方法に関するものであり、適正相場及び買取業者を瞬時に所有者は選択し、売却することができることを可能ならしめる方法である。【課題】  従来の売却買取では、所有オートバイの時間的、物理的な変動によってその所有価値が変動し適正相場が不透明であることによって、所有者、買取業者間での情報の伝達は瞬間的あるいは駆け引き的なものになり、取引に多大な労力を要していた。【解決手段】  定期検査情報ならびに時間経過と相場変動に基ずき、オートバイの適正相場表示が行われる。これに基づき、オートバイ所有会員と複数の買取会員の間では迅速で合理的な売買取引をウェブ上で継続的提示に行うことができる。【選択図】        図１
2005165820.tif 000002
【特許請求の範囲】
【請求項１】
主催者がインターネット上で運営するウェブサイト上で前記主催者から認定されたオートバイ所有者が前記主催者から認定されたオートバイ買取会員との間で前記主催者から識別番号を付与されたオートバイの売買取引を行う際に、前記オートバイ所有者から委託を受けた定期点検業者が入力した定期点検情報からコンピュータープログラムによって自動的に演算されて前記ウェブサイトに表示されたオートバイ価値情報を前記オートバイ買取会員が閲覧できることを特徴とする中古オートバイのインターネット取引の方法。
【請求項２】
オートバイ価値情報が、定期点検情報が入力されてからの時間経過に伴う価値変動要素及び又は相場変動要素を加えて演算されることを特徴とする請求項１記載の中古オートバイのインターネット取引の方法。
【請求項３】
取引形態が所謂オークション形式であることを特徴とする請求項１，２記載の中古オートバイのインターネット取引の方法。
【発明の詳細な説明】
【技術分野】
【０００１】
本発明は、中古オートバイのインターネット取引の方法に関するものである。
【背景技術】
【０００２】
所有オートバイの売却取引は、古来から行われてきたが、所有オートバイの時間的、物理的な変動によって、その所有価値が変動し、適正相場が不透明である。そのため所有者、買取業者間での情報の伝達は適正なものとは限らない。また所有者がオートバイ売却を希望した場合でも、買取業者の選定、その都度の査定、相場とのマッチング、売却までの手続き等の多大な時間的な労力を必要としており、買取業者は多大な査定士、従業員などの人的な労力、及び多大な広告宣伝経費を必要としている。所有オートバイを売却する場合、買取業者へ認知させる手段としての中古車マーケット、情報伝達手段が不可欠となるが、従来の情報伝達方法としては、購入先または身近な取引業者へのアプローチ、紙媒体などによる買取業者からのアプローチが主体であった。近年になって、この情報アプローチをインターネット上に設定する例が増えている。この場合、買取業者からのアプローチ、及び所有オートバイの状態の送付を希望、相場価格の概要的な表示が行われている。また、所有者が売却希望をインターネット上に公開して個人売買する考案もなされている。オークション形式でのサイトで個人売買を行う場合も多い。
【特許文献１】特開２００２−１５１６１号公報
【発明の開示】
【発明が解決しようとする課題】
【０００３】
従来の売却買取では、所有オートバイの時間的、物理的な変動によって、その所有価値が変動し、適正相場は不透明である。所有者が適正相場を確認したい場合、査定士や買取業者数社に連絡し、査定、見積してもらい、その平均値から自ら判断しなくてはならない。また、売却を希望した場合でも同じ作業を繰り返し、さらに売却手続き、売却相手との交渉など、多大な時間を要する。例え査定、見積もりを取ったとしても、所有資産は時間的物理的な要因で変動するため、半年後、又は数年後には再度上記作業を繰り返さなければならない。そのため所有者、買取業者間での情報の伝達は所有財産を時間軸で線として捕らえた場合、点としての接点、瞬間的なものになり、所有者の時間的な労力、買取業者の人的な労力を必要としてしまうため、迅速な手続きができないという不具合があった。一方、多くの買取業者があるにもかかわらず、所有者は売却オートバイの適正価格の調査、買取業者の適正調査など、時間的、人的な労力を必要としてしまうため時間的、金銭的な制約から選択肢が狭められてしまうという不具合もあった。
【０００４】
買取業者はオートバイ所有者へ知らしめるための多大な宣伝広告費、顧客管理営業を行うための多大な人件費等が必要となり、常に繰り返していなければならないというジレンマも生じている。またネット、会場オークションにおいて、商品の買付売却を行う場合、オークション参加費用、落札費用、先見せの時間、商品の運搬等の費用、参加オークションの人件費等が生じているなど、対顧客に対する必要経費が多くかかっている現実がある（図２参照）。
【０００５】
昨今のインターネットによる買取価格相場等も、各買取業者ごと、又は数社の買取業者ごとの買取平均値であり、必ず所有者の所有資産と一致するわけではなく、実際には所有者は上記手順を踏むこととなる。
【０００６】
本発明は、以上の事情を鑑みなされたものであって、その解決せんとする課題は、所有オートバイを時間軸で線として捕らえた場合、線として接触を持つものである。オートバイ所有側会員は主催者から識別番号を与えられた所有オートバイの規定の定期検査を受けた情報を元に、コンピュータ演算によるオートバイ価値情報、オートバイ買取情報を主催者から認定された複数の買取会員に開示し、常に適正相場の調査や適正買取業者を探す手間もなく確認することができ、且つ売却時には売却期間を短く適正に、良質な買取業者にスムーズに相場価格で売却でき、買取側会員は、オークション参加費用や落札手数料、業者間買取マージンもなく定期検査情報付の良質なオートバイを多大な経費を投入せずとも、適正価格で買い取ることが可能となる。これによって、販売マーケットの流動性を高め、会員に大きなメリットをもたらす方法を実現することにある。
【課題を解決するための手段】
【０００７】
本発明では、所有オートバイは登録後、識別番号を与えられインターネットのウェブサイト上で提示される。会員の所有オートバイは主催者が認めた規定の定期的な定期検査が行われ、この定期点検情報に基ずき演算された価値情報ならびに、時間経過や相場変動による価値変動要素をも加味した価値情報が継続的にウェブサイト上に表示される。会員買取業者は、この価値情報に基ずき、提示された所有オートバイへの買取希望の意思表示、買取希望価格の表示、サービス提供の意思表示を、同じウェブサイト上で継続的に行うことができる。
【発明の効果】
【０００８】
本発明になる取引方法では、識別番号を与えられた所有オートバイの該主催者が認めた規定の定期検査情報をもとに買取業者の提示買取価格を共に演算し、常に市場原理に基づいた定期点検情報の付いたオートバイに対しての適正相場表示と時間軸の変動率表示が行われる。これによって、従来人的作業であった査定、見積、業者の選定といった時間的、人的な作業時間を削減。また、従来の査定システムは査定士が検査項目に基づき入力し、所有者側も必要項目をその都度入力、報告しなければならなかったが、定期点検情報に基づく演算、買取業者の買取価格提示による市場原理の演算により、それらの作業が必要なくなり、瞬時にウェブサイト上でいつでも確認することができるようになった。また、今まで不透明であり、業界内の全体平均値でしか確認できなかった適正価格を、全体適正価格ではなく、初めて各個別オートバイに対しての適正価格と変動率を随時提示することができるようになった。
【０００９】
適正相場と個別オートバイに対し買取価格を提示することにより、オートバイ売却時、従来人的作業であった査定、見積、業者の選定、売却手続き、売却相手との交渉など、多大な時間を要していたオートバイ所有者の売却が時間軸に対し、常に線で接点を持つことによって、従来よりスムーズ且つ短期間に行うことが可能になった。また、所有オートバイの急な売却を希望した時、今までできなかった適正相場及び適正買取会員を瞬時にオートバイ所有会員は選択し、売却することが可能となった。
【００１０】
また、個別オートバイに対し買取価格を提示することにより買取業者は、広告宣伝費をかけることなく、1万件、１０万件、それ以上の多数の情報交換を長期に渡って行うことができ、商品買付のオークションとはまったく違う買付システムを保有することによって、今まで対顧客経費を削減し、オークション参加費用や落札手数料もなく、業者間取引マージンもなく、定期検査情報付の良質なオートバイを適正価格で買い取ることが初めて可能になった。
【発明を実施するための最良の形態】
【００１１】
本発明の売却、買取は、主催者から認められた会員が所有するオートバイをインターネット上の主催者が運営するウェブサイト上にその情報を提示すると共に、主催者が認めた規定の定期検査を行い、その定期検査情報を継続的に蓄積し、主催者から認められた買取会員がそのオートバイを同じウェブサイト上から閲覧し、買取希望およびサービスを同一サイトから提供する。オートバイ所有者は売却希望の時、その買取会員へ速やかに売却が行われる。
【００１２】
オートバイは識別番号を与えられ、登録時から主催者が認めた規定の定期的な検査を行い、時間軸と定期点検による評価点から買取評価額を演算する。さらに、その評価物件に対し買取会員が蓄積される定期検査情報を元に買取価格、条件を提示することによって、時間軸、定期点検評価、買取会員提示価格、条件から演算し、時間軸の変動率を含めた現在の買取評価額の提示を行い、常に定期点検情報の付いたオートバイについての適正相場表示が行われる。また、会員から登録されたパーツ類が定期点検情報に合わせ、演算により補強パーツが同時に表示され、任意で購入が可能になる。図５はそのフローチャートである。
【００１３】
オートバイ売却の場合、買取価格、条件を提示していた買取業者に主催者が運営するウェブサイトから連絡を取り合い売却が行われる。その場合、定期検査情報は、オートバイに追記されウェブ上で移動する。これにより、オートバイに対し常に良質なオートバイとしての定期検査情報が付属される。図６はそのフローチャートである。
【産業上の利用可能性】
【００１４】
信頼できる定期点検情報が開示されるために、オートバイの買取は業者による場合に限定されず、個人によっても行われる。取引はオークション形式によるケースも含まれる。
【図面の簡単な説明】
【００１５】
【図１】本発明の取引方法の基本システム図である。
【図２】従来のオートバイ売却、買取のフローチャートである。
【図３】本発明のオートバイ売却、買取のフローチャートである。
【図４】本発明の全体を表示したシステムフローチャートである。
【図５】オートバイの定期検査情報から、時間軸、定期点検評価、買取会員提示価格、条件から演算し、時間軸の変動率を含めた現在の買取評価額の提示を行い、常に定期点検情報の付いたオートバイについての適正相場表示が行われるフローチャートである。
【図６】オートバイ売却時の定期検査情報がオートバイに追記されウェブ上で移動するフローチャートである。
【図１】
2005165820.tif 000003
【図２】
2005165820.tif 000004
【図３】
2005165820.tif 000005
【図４】
2005165820.tif 000006
【図５】
2005165820.tif 000007
【図６】
2005165820.tif 000008